(57)【要約】【課題】受信状態に応じて適応的にアナログフィルタの特性を可変して、隣接チャンネル妨害等の妨害波がある場合でも、ない場合でも常に良好な受信品質が得られる受信技術を提供する。【解決手段】通信あるいは放送システムで用いる高周波信号を受信してベースバンド信号に周波数変換する受信装置において、アナログベースバンド信号の帯域制限を行うフィルタ１１，１２と、フィルタ１１，１２から出力されたアナログ信号をデジタル信号に変換するＡＤ変換器１３，１４と、ＡＤ変換器１３，１４から出力されたデジタル信号を復調する復調部２７とを備え、復調部２７から出力される受信品質に応じた制御信号によりフィルタ１１，１２の特性を可変する。具体的には、受信信号を復調後のＢＥＲあるいはＥＶＭを検出し、ＢＥＲあるいはＥＶＭが最良となるようにフィルタ特性を制御する。【選択図】図１
2007228342.tif 000002
【特許請求の範囲】
【請求項１】
通信あるいは放送システムで用いる高周波信号を受信してベースバンド信号に周波数変換する受信装置であって、
アナログベースバンド信号の帯域制限を行う第１のフィルタと、
前記第１のフィルタから出力されたアナログ信号をデジタル信号に変換するＡＤ変換器と、
前記ＡＤ変換器から出力されたデジタル信号を復調する復調部とを備え、
前記復調部から出力される受信品質に応じた制御信号により前記第１のフィルタの特性を可変することを特徴とする受信装置。
【請求項２】
通信あるいは放送システムで用いる高周波信号を受信してベースバンド信号に周波数変換する受信装置であって、
アナログベースバンド信号の帯域制限を行う第１のフィルタおよび第２のフィルタと、
前記第１のフィルタおよび前記第２のフィルタから出力されたアナログ信号をデジタル信号に変換するＡＤ変換器と、
前記ＡＤ変換器から出力されたデジタル信号を復調する復調部とを備え、
前記復調部から出力される受信品質に応じた制御信号を用いて前記第２のフィルタを切り替えることを特徴とする受信装置。
【請求項３】
通信あるいは放送システムで用いる高周波信号を受信してベースバンド信号に周波数変換する受信装置であって、
受信系を２系統備え、
第１の通信あるいは放送システムの信号を受信する第１の受信系は、アナログベースバンド信号の帯域制限を行う第１のフィルタおよび第２のフィルタと、前記第１のフィルタおよび前記第２のフィルタから出力されたアナログ信号をデジタル信号に変換するＡＤ変換器と、前記ＡＤ変換器から出力されたデジタル信号を復調する復調部とを備え、
第２の通信あるいは放送システムの信号を受信する第２の受信系は、前記第１の受信系の妨害信号となる信号を受信可能であり、前記第１の受信系の妨害信号となる信号を受信できない場合は妨害信号なしと判定して前記第１の受信系の前記第２のフィルタをＯＦＦに設定し、前記第１の受信系の妨害信号となる信号を受信した場合は妨害信号ありと判定して前記第１の受信系の前記第２のフィルタをＯＮに設定することを特徴とする受信装置。
【請求項４】
請求項１、２または３記載の受信装置において、
前記第１のフィルタとして低域通過フィルタを用いることを特徴とする受信装置。
【請求項５】
請求項２または３記載の受信装置において、
前記第２のフィルタとしてノッチフィルタを用いることを特徴とする受信装置。
【請求項６】
請求項１〜５のいずれか１項記載の受信装置を用い、通信方式としてＣＤＭＡ方式を用いたことを特徴とする送受信装置。
【発明の詳細な説明】
【技術分野】
【０００１】
本発明は、通信あるいは放送システムで用いる高周波信号を受信してベースバンド信号に周波数変換する受信装置に関し、特に、携帯端末などの、デジタル変調された高周波信号を受信する受信装置、およびそれを用いた送受信装置に適用して有効な技術に関する。
【背景技術】
【０００２】
例えば、携帯電話は、ＧＳＭ方式が欧州等を中心に使用されており、国内では第３世代方式としてＷＣＤＭＡ方式（送受信帯域がそれぞれ１９２０−１９８０ＭＨｚ，２１１０−２１７０ＭＨｚの２ＧＨｚ帯：以下ＷＣＤＭＡ２０００）が開始された。ＷＣＤＭＡ方式は、３ＧＰＰ（３ｒｄ  ｇｅｎｅｒａｔｉｏｎ  ｐａｒｔｎｅｒｓｈｉｐ  ｐｒｏｊｅｃｔ）が送受信の規格を策定している。
【０００３】
ＧＳＭやＷＣＤＭＡ方式の携帯電話の受信回路には、非特許文献１ならびに特許文献１に見られるように受信ＲＦ信号を直接ベースバンド帯のＩＱ信号に変換するダイレクトコンバージョン方式が用いられる。ダイレクトコンバージョン方式は、中間周波信号を用いないため、中間周波フィルタが不要となる利点があるが、隣接チャンネル妨害（ＡＣＳ）等の妨害波抑圧のため、ベースバンド帯に抵抗、容量を用いた低域周波フィルタ（以下アナログフィルタ）を構成する必要がある。また、ベースバンド帯のＩＱ信号は、ＡＤ変換器でデジタル信号に変換された後、ＦＩＲフィルタ（以下デジタルフィルタ）で波形成形される。例えば、アナログフィルタの特性を可変する技術としては、特許文献２〜５等が挙げられる。
【特許文献１】米国特許第５４８３６９１号明細書
【特許文献２】特開平６−３１５０４０号公報
【特許文献３】特開平１１−２０５１７０号公報
【特許文献４】特開２００３−８６７４号公報
【特許文献５】特開２００４−２６０５２８号公報
【非特許文献１】“Ａ  Ｓｉｎｇｌｅ−Ｃｈｉｐ  Ｑｕａｄ−Ｂａｎｄ  Ｄｉｒｅｃｔ−Ｃｏｎｖｅｒｓｉｏｎ  ＧＳＭ／ＧＰＲＳ  ＲＦ  Ｔｒａｎｓｃｅｉｖｅｒ  ｗｉｔｈ  Ｉｎｔｅｇｒａｔｅｄ  ＶＣＯｓ  ａｎｄ  Ｆｒａｃｔｉｏｎａｌ−Ｎ  Ｓｙｎｔｈｅｓｉｚｅｒ”，ＩＳＳＣＣ  ２００２，１４．２
【発明の開示】
【発明が解決しようとする課題】
【０００４】
ところで、前述した３ＧＰＰの受信部規格によれば、ＷＣＤＭＡ方式の１チャンネルの帯域幅は５ＭＨｚ、伝送チップレートは３．８４ＭＨｚである。また、受信帯域は地域により、バンド１（２．１１〜２．１７ＧＨｚ）、バンド２（２．１１〜２．１７ＧＨｚ）、バンド３（２．１１〜２．１７ＧＨｚ）、バンド４（２．１１〜２．１７ＧＨｚ）、バンド５（２．１１〜２．１７ＧＨｚ）、バンド６（２．１１〜２．１７ＧＨｚ）が割り当てられている。
【０００５】
３ＧＰＰ規格では、これら全てのバンドに隣接チャンネル妨害の規定を設けている。これは、隣接チャンネル５＋／−３．８４ＭＨｚに受信される妨害波であり、受信機で抑圧する必要がある。また、バンド２、バンド３、バンド５は、ＧＳＭ方式の帯域と重なるため、３ＧＰＰの受信部規格にはＧＳＭ信号を妨害波としたＮａｒｒｏｗ  ｂａｎｄ  ｂｌｏｃｋｉｎｇの項目が設けられている。これは、ＷＣＤＭＡ信号の中心からのオフセット周波数２．７ＭＨｚなどの希望信号に非常に近接した妨害波を想定したものである。一方、バンド１、バンド４、バンド６は、オフセット周波数５ＭＨｚの隣接チャンネル妨害については規定されているが、Ｎａｒｒｏｗ  ｂａｎｄ  ｂｌｏｃｋｉｎｇのような近接した妨害波に関する規定はない。
【０００６】
また、３ＧＰＰの受信部規格には、高速データ通信方式ＨＳＤＰＡ（Ｈｉｇｈ  Ｓｐｅｅｄ  Ｄａｔａ  Ｐａｃｋｅｔ  Ａｃｃｅｓｓ）が規定されている。これは、１６ＱＡＭを用いた多値変調方式や誤り訂正符号化レート低減により最大１４．４Ｍｂｐｓまでのデータ伝送レートを得る方式である。
【０００７】
３ＧＰＰの受信部規格に対応した受信部を構成する場合、ダイレクトコンバージョン受信方式では、隣接チャンネル妨害やＮａｒｒｏｗ  ｂａｎｄ  ｂｌｏｃｋｉｎｇはベースバンド帯のアナログフィルタで抑圧する必要がある。従来の一般的な受信機ではアナログフィルタの特性は、妨害波を受信している、していないにかかわらず、最大妨害波信号を十分抑圧できるように設計している。このため、妨害波が受信されていない場合でもアナログフィルタ特性によりＥＶＭ（Ｅｒｒｏｒ  Ｖｅｃｔｏｒ  Ｍａｇｎｉｔｕｄｅ）が劣化すると言う課題がある。ＥＶＭが劣化するとＨＳＤＰＡ受信時の受信感度が低下したり、受信できなくなったりすることが考えられる。
【０００８】
そこで、本発明は、前記のような課題を解決し、受信状態に応じて適応的にアナログフィルタの特性を可変して、隣接チャンネル妨害等の妨害波がある場合でも、ない場合でも常に良好な受信品質が得られる受信技術を提供することを目的とするものである。
【０００９】
本発明の前記ならびにその他の目的と新規な特徴は、本明細書の記述および添付図面から明らかになるであろう。
【課題を解決するための手段】
【００１０】
本願において開示される発明のうち、代表的なものの概要を簡単に説明すれば、次のとおりである。
【００１１】
例えば、隣接チャンネルなどに妨害波が受信されていない場合は、アナログフィルタのカットオフ周波数は変調帯域に比べて十分高ければＢＥＲ，ＥＶＭは良好な値が得られる。一方、隣接チャンネル妨害やＮａｒｒｏｗ  ｂａｎｄ  ｂｌｏｃｋｉｎｇが受信されている場合は、アナログフィルタのカットオフが高いと妨害波の影響でＢＥＲあるいはＥＶＭ特性は劣化する。このため、隣接チャンネルに妨害がある場合は、アナログフィルタのカットオフ周波数を低く設定することが望ましい。
【００１２】
そこで、本発明では、復調部で受信信号を復調後のビットエラーレート（ＢＥＲ）あるいはＥＶＭを検出し、ＢＥＲあるいはＥＶＭが最良となるようにアナログ部のフィルタ特性を適応的に制御する。ＢＥＲ，ＥＶＭの検出値が基準値より良い値であれば、例えばアナログ部のフィルタのカットオフ周波数を高く設定する。逆にＢＥＲ，ＥＶＭの検出値が基準値より悪ければ、アナログ部のフィルタのカットオフ周波数を低く設定する。このように設定することで、基準値より高いＢＥＲ，ＥＶＭを得ることができる。また、ＢＥＲ，ＥＶＭの検出値を最良とするようにアナログ部のフィルタのカットオフ特性を設定することも可能である。
【００１３】
さらに、他の手段としては、アナログフィルタにバタワースフィルタとノッチフィルタのように極位置の異なった種類のフィルタを備える。この場合は、隣接チャンネルなどに妨害波が受信されていない場合は、アナログフィルタはバタワースフィルタを用いることでＢＥＲ，ＥＶＭは良好な値が得られる。一方、隣接チャンネル妨害やｎａｒｒｏｗ  ｂａｎｄ  ｂｌｏｃｋｉｎｇが受信されている場合は、アナログフィルタにバタワースフィルタとノッチフィルタを用い、妨害波の影響を除去してＢＥＲあるいはＥＶＭ特性を改善する。
【００１４】
そこで、本発明では、復調部で受信信号を復調後のＢＥＲあるいはＥＶＭを検出し、ＢＥＲあるいはＥＶＭが最良となるようにアナログ部のフィルタ特性を適応的に切替える。ＢＥＲ，ＥＶＭの検出値が基準値より良い値であれば、例えばアナログ部のノッチフィルタをＯＮするように設定する。逆にＢＥＲ，ＥＶＭの検出値が基準値より悪ければ、アナログ部のノッチフィルタをＯＦＦするように設定する。このように設定することで、基準値より高いＢＥＲ，ＥＶＭを得ることができる。また、ノッチフィルタを用いた場合と用いない場合のＢＥＲ，ＥＶＭなどを比較し、ＢＥＲ，ＥＶＭが良好な方を選択することも可能である。
【００１５】
また、ＢＥＲ，ＥＶＭによる受信品質の検出以外に、ＣＱＩ（Ｃｈａｎｎｅｌ  Ｑｕａｌｉｔｙ  Ｉｎｄｉｃａｔｏｒ）信号をもとに、ＣＱＩ検出値が最良となるようにフィルタ特性を制御しても良い。
【００１６】
また、ＢＥＲ，ＥＶＭによる受信品質の検出以外に、Ｎａｒｒｏｗ  ｂａｎｄ  ｂｌｏｃｋｉｎｇの検出手段として、ＷＣＤＭＡとＧＳＭのデュアルモード受信機を用いている場合は、ＷＣＤＭＡ受信時に、ｃｏｍｐｒｅｓｓｅｄ  ｍｏｄｅなどでＧＳＭ受信機を動作させ、ＷＣＤＭＡ受信信号の近傍に妨害となるＧＳＭ信号があるかを検出する。この検出結果を用いて上記したアナログフィルタのカットオフ周波数を変えたり、ノッチフィルタをＯＮ／ＯＦＦすることで、良好な受信品質が得られる。
【発明の効果】
【００１７】
本願において開示される発明のうち、代表的なものによって得られる効果を簡単に説明すれば以下のとおりである。
【００１８】
本発明によれば、受信状態に応じて適応的にアナログフィルタの特性を可変して、隣接チャンネル妨害等の妨害波がある場合でも、ない場合でも常に良好な受信品質を得ることができる。
【発明を実施するための最良の形態】
【００１９】
以下、本発明の実施の形態を図面に基づいて詳細に説明する。なお、実施の形態を説明するための全図において、同一の部材には原則として同一の符号を付し、その繰り返しの説明は省略する。
【００２０】
（第１の実施の形態）
図１に、本発明における第１の実施の形態の受信装置のブロック図を示す。図１はデジタル変調された信号を受信する受信装置を示すもので、この受信装置は、アンテナ１、分波器（ＤＰＸ）２、低雑音増幅器（ＬＮＡ）３、ミキサ４，５、９０度位相シフタ（π／２）６、ＶＣＯ７、ＡＧＣ増幅器８，９、アナログベースバンド信号の帯域制限を行うフィルタ（ＬＰＦ：第１のフィルタ）１１，１２、このフィルタ１１，１２から出力されたアナログ信号をデジタル信号に変換するＡＤ変換器１３，１４、レベル検出器（Ｄｅｔ）２３、ＦＩＲフィルタ１５，１６、このＦＩＲフィルタ１５，１６を介してＡＤ変換器１３，１４から出力されたデジタル信号を復調する復調部２７、この復調部２７から出力される受信品質に応じた制御信号によりフィルタ１１，１２の特性を可変する制御部１７などから構成され、各構成回路間で各種信号が入出力される。
【００２１】
各種信号には、ＡＧＣ増幅器８，９の制御信号１９、フィルタ１１，１２の制御信号１０、レベル検出器２３へのＩ／Ｑ信号２８、レベル検出器２３の出力信号３０、ＦＩＲフィルタ１５，１６の制御信号２５、復調部２７の制御信号２０、送信系からの送信信号２２などがある。
【００２２】
以下、本実施の形態の受信装置の動作について説明する。アンテナ１より入力される無線高周波信号（以下ＲＦ信号）は分波器２で送信信号２２と分波され、受信系５６の回路に入力される。受信系５６の回路では、低雑音増幅器３で増幅され、ミキサ４，５で、ＶＣＯ７と９０度位相シフタ６からの発振信号により直交検波されてＩ（Ｉｎ−ｐｈａｓｅ）／Ｑ（Ｑｕａｄｒａｔｕｒｅ−ｐｈａｓｅ）信号に変換される。Ｉ／Ｑ信号はそれぞれＡＧＣ増幅器８，９で利得制御され、フィルタ１１，１２で不要波を除去された後、ＡＤ変換器１３，１４でデジタル信号に変換される。デジタル信号のＩ／Ｑ信号２８は、レベル検出器２３に入力されるとともに、ＦＩＲフィルタ１５，１６で不要波除去と波形成形を行い、復調部２７で復調される。
【００２３】
復調部２７では、受信信号の品質に相当するＢＥＲやＥＶＭ等を計算する。この計算結果を、基準値と比較して基準値以下である場合は制御信号２０を更新して制御部１７に送信し、制御部１７からフィルタ１１，１２の特性を変更するための制御信号１０を更新する。これらの更新により受信信号の品質が基準値を上回れば、制御信号２０，１０の更新を停止し、この最終的に制御信号２０，１０で得られた値をフィルタ１１，１２の設定値とする。基準値に到達しない場合は、最もよい受信信号の品質（ＢＥＲやＥＶＭ）が得られる制御信号２０，１０とその制御信号で与えられるフィルタ１１，１２の設定を設定値とする。
【００２４】
他の方法として、基準値を設定せず、制御信号２０，１０を決められた範囲で可変してその中で最も良い受信信号の品質が得られる制御信号２０，１０とその制御信号で与えられるフィルタ１１，１２の設定を設定値としても良い。
【００２５】
本実施の形態で、フィルタ１１，１２はバタワースフィルタ、チェビシェフフィルタなどの低域通過フィルタ（ＬＰＦ）を用いることができる。
【００２６】
本構成によれば、ＢＥＲやＥＶＭなどの受信信号の品質に基づいてフィルタ１１，１２の特性を最適化するため、常に最適な受信信号品質で信号を受信することができる。
【００２７】
図２に、本実施の形態において、フィルタの特性を設定する場合のフローチャートを示す。受信開始後に（Ｓ１０１）、フィルタ１１，１２の特性（カットオフ周波数など）をデフォルト値に設定する（Ｓ１０２）。次に、復調部２７でＥＶＭ，ＢＥＲなどを測定し（Ｓ１０３）、基準値と比較する（Ｓ１０４）。比較の結果、ＥＶＭ，ＢＥＲなどが基準値以下の場合（ｌｏｗ）は、フィルタの設定値を更新し、再度、復調部２７でＥＶＭ，ＢＥＲなどを測定する。この動作を繰り返し、ＥＶＭ，ＢＥＲなどが基準値以上（ｈｉｇｈ）になると、フィルタの設定は終了する（Ｓ１０５）。基準値以上にならない場合でも、あらかじめ設定したＮ回の試行が終了したら（Ｓ１０６）、最も良いＥＶＭ，ＢＥＲが得られたフィルタの設定値を選んで設定を終了する（Ｓ１０７）。
【００２８】
本実施の形態で、フィルタ１１，１２の特性として、バタワースフィルタなどのカットオフ周波数を適応的に可変する例について、受信信号に妨害波あり、なしの場合における効果を説明する。
【００２９】
図３に、フィルタの周波数に対する振幅の特性図を示す。信号帯域幅４５は受信希望信号の変調帯域幅を示し、ＷＣＤＭＡ方式ではベースバンド帯で１．９２ＭＨｚ（ＲＦ帯では３．８４ＭＨｚ）である。破線４６，４７の特性はフィルタ１１，１２の周波数特性であり、破線４６はカットオフ周波数が最も高い設定であり、破線４７はカットオフ周波数が最も低い設定である。また、実線４９は隣接チャンネルの妨害波を表し、ＷＣＤＭＡ方式では５ＭＨｚ＋／−１．９２ＭＨｚに隣接チャンネル妨害が存在する。
【００３０】
今、実線４９の隣接チャンネル妨害がない（あるいは非常に小さい）場合を考えると、希望信号の信号帯域幅４５を信号損失なく通過させるには、フィルタ１１，１２の特性を信号帯域内で損失のない破線４６の特性にすれば良い。フィルタ１１，１２の特性を破線４６の特性に設定するには、図１で示したアルゴリズムに基づいて行うことができる。図３の破線４６の特性のように希望信号の信号帯域幅４５を信号損失なく通過させると、希望信号の振幅特性、位相特性に歪みが生じない為、復調部２７で良好なＥＶＭ，ＢＥＲ特性を得ることができる。従って、特に１６ＱＡＭ変調方式などを用いるＨＳＤＰＡ方式での受信感度向上や、１４．４Ｍｂｐｓまでの高いデータレートでの受信が可能となる。
【００３１】
次に、強いレベルの妨害信号（実線４９）が隣接チャンネルにある場合を考える。この場合は、隣接チャンネル妨害信号（実線４９）を十分抑圧する為に、フィルタ１１，１２のカットオフ周波数を低下させ、破線４７のような特性に設定する。フィルタ１１，１２の特性を破線４７の特性に設定するには、図２で示したアルゴリズムに基づいて行うことができる。破線４７のフィルタ特性を用いれば、妨害信号を十分に抑圧することができ、図１で示したＡＤ変換器１３，１４の飽和を防止することができるし、復調部２７でのＥＶＭ，ＢＥＲ特性も良好にすることができ、通常通話やＨＳＤＰＡ受信時における最小受信感度向上が可能である。
【００３２】
また、妨害信号（実線４９）が比較的低い場合は、図１で示したアルゴリズムにより復調部２７のＥＶＭやＢＥＲなどが最良となるように、フィルタ１１，１２のカットオフ周波数は破線４７から破線４６の間に設定されることになる。この場合も、通常通話やＨＳＤＰＡ受信時における最小受信感度向上が可能である。
【００３３】
（第２の実施の形態）
図４に、本発明における第２の実施の形態の受信装置のブロック図を示す。図４はデジタル変調された信号を受信する受信装置を示すもので、この受信装置は、アンテナ１、分波器（ＤＰＸ）２、低雑音増幅器（ＬＮＡ）３、ミキサ４，５、９０度位相シフタ（π／２）６、ＶＣＯ７、ＡＧＣ増幅器８，９、アナログベースバンド信号の帯域制限を行うフィルタ（ＬＰＦ：第１のフィルタ）１１，１２、及びフィルタ（ＮＦ：第２のフィルタ）２１，２４、フィルタ１１，１２，２１，２４から出力されたアナログ信号をデジタル信号に変換するＡＤ変換器１３，１４、レベル検出器（Ｄｅｔ）２３、ＦＩＲフィルタ１５，１６、このＦＩＲ１５，１６を介してＡＤ変換器１３，１４から出力されたデジタル信号を復調する復調部２７、この復調部２７から出力される受信品質に応じた制御信号を用いてフィルタ１１，１２，２１，２４を切り替える制御部１７などから構成され、各構成回路間で各種信号が入出力される。
【００３４】
各種信号には、ＡＧＣ増幅器８，９の制御信号１９、フィルタ１１，１２の制御信号１０、フィルタ２１，２４の制御信号１８、レベル検出器２３へのＩ／Ｑ信号２８、レベル検出器２３の出力信号３０、ＦＩＲフィルタ１５，１６の制御信号２５、復調部２７の制御信号２０、送信系からの送信信号２２などがある。
【００３５】
以下、本実施の形態の受信装置の動作について説明する。アンテナ１より入力される無線高周波信号（以下ＲＦ信号）は分波器２で送信信号２２と分波され、受信系５６の回路に入力される。受信系５６の回路では、低雑音増幅器３で増幅され、ミキサ４，５で、ＶＣＯ７と９０度位相シフタ６からの発振信号により直交検波されてＩ（Ｉｎ−ｐｈａｓｅ）／Ｑ（Ｑｕａｄｒａｔｕｒｅ−ｐｈａｓｅ）信号に変換される。Ｉ／Ｑ信号はそれぞれＡＧＣ増幅器８，９で利得制御され、フィルタ１１，１２およびフィルタ２１，２４で不要波を除去された後、ＡＤ変換器１３，１４でデジタル信号に変換される。デジタル信号のＩ／Ｑ信号２８は、レベル検出器２３に入力されるとともに、ＦＩＲフィルタ１５，１６で不要波除去と波形成形を行い、復調部２７で復調される。
【００３６】
復調部２７では、受信信号の品質に相当するＢＥＲやＥＶＭを計算する。この計算結果を、基準値と比較して基準値以下である場合は制御信号２０を更新して制御部１７に送信し、制御部１７からフィルタ１１の特性を変更する制御信号１０を更新する。これらの更新により受信信号の品質が基準値を上回れば、制御信号２０，１０，１８の更新を停止し、この制御信号２０，１０，１８で得られるフィルタ１１，１２およびフィルタ２１，２４の設定を設定値とする。基準に到達しない場合は、最もよい受信信号の品質が得られる制御信号２０，１０，１８とその制御信号で与えられるフィルタ１１，１２およびフィルタ２１，２４の設定を設定値とする。
【００３７】
他の方法として、基準値を設定せず、制御信号２０，１０，１８を決められた範囲で可変してその中で最も良い受信信号の品質が得られる制御信号２０，１０，１８とその制御信号で与えられるフィルタ１１，１２およびフィルタ２１，２４の設定を設定値としても良い。
【００３８】
本実施の形態で、フィルタ２１，２４を制御信号１８によりＯＮ，ＯＦＦする例も可能である。これは例えば、フィルタ２１，２４にノッチフィルタを用い、隣接チャンネル妨害波などで復調部２７のＥＶＭやＢＥＲが劣化した場合に、フィルタ２１，２４をＯＮして用いて隣接妨害信号を除去してＥＶＭやＢＥＲを改善する構成である。隣接妨害信号がなく復調部２７のＥＶＭやＢＥＲが良好な場合は、制御信号１８でフィルタ２１，２４をＯＦＦしてスルーモードにする。本実施の形態で、フィルタ１１，１２はバタワースフィルタ、チェビシェフフィルタなどの低域通過フィルタ（ＬＰＦ）を、フィルタ２１，２４はＬＰＦあるいはフィルタ１１，１２と極位置が異なるフィルタ（例えばノッチフィルタ）を用いることができる。
【００３９】
本構成によれば、ＢＥＲやＥＶＭなどの受信信号の品質に基づいてフィルタ１１，１２およびフィルタ２１，２４の特性を最適化するため、常に最適な受信信号品質で信号を受信することができる。
【００４０】
図５に、本実施の形態において、フィルタの特性を設定する場合のフローチャートを示す。受信開始後に（Ｓ２０１）、フィルタ２１，２４をＯＦＦに設定し（Ｓ２０２）、復調部２７でＥＶＭ，ＢＥＲなどを測定する（Ｓ２０３）。次に、フィルタ２１，２４をＯＮに設定し（Ｓ２０４）、復調部２７でＥＶＭ，ＢＥＲなどを測定する（Ｓ２０５）。フィルタＯＮ時とＯＦＦ時のＥＶＭ，ＢＥＲを比較し（Ｓ２０６）、良好な方をフィルタの設定値として（ＯＮ時が良好の場合はフィルタ２１，２４をＯＮに設定：Ｓ２０７、ＯＦＦ時が良好の場合はフィルタ２１，２４をＯＦＦに設定：Ｓ２０８）、フィルタの設定は終了する（Ｓ２０９）。
【００４１】
本実施の形態で、フィルタ２１，２４の特性として、ノッチフィルタを仮定し、制御信号１８によりノッチフィルタをＯＮ，ＯＦＦする例について、受信信号に妨害波あり、なしの場合における効果を説明する。
【００４２】
図６に、フィルタの周波数に対する振幅の特性図を示す。信号帯域幅４５は受信希望信号の変調帯域幅を示し、ＷＣＤＭＡ方式ではベースバンド帯で１．９２ＭＨｚ（ＲＦ帯では３．８４ＭＨｚ）である。破線４６の特性はフィルタ１１，１２の周波数特性であり、点線４８の特性はフィルタ２１，２４の周波数特性である。また、実線４９は隣接チャンネルの妨害波を表し、ＷＣＤＭＡ方式では５ＭＨｚ＋／−１．９２ＭＨｚに隣接チャンネル妨害が存在する。
【００４３】
今、実線４９の隣接チャンネル妨害がない（あるいは非常に小さい）場合を考えると、希望信号の信号帯域幅４５を信号損失なく通過させるにはフィルタ１１，１２の特性を破線４６の特性にすれば良い。フィルタ１１，１２の特性を破線４６の特性に設定するには、図４で示したアルゴリズムに基づいて行うことができる。図６の破線４６の特性のように希望信号の信号帯域幅４５を信号損失なく通過させると、希望信号の振幅特性、位相特性に歪みが生じない為、復調部２７で良好なＥＶＭ，ＢＥＲ特性を得ることができる。従って、特に１６ＱＡＭ変調方式などを用いるＨＳＤＰＡ方式での受信感度向上や、１４．４Ｍｂｐｓまでの高いデータレートでの受信が可能となる。
【００４４】
次に、強いレベルの妨害信号（実線４９）が隣接チャンネルにある場合を考える。この場合は、隣接チャンネル妨害信号（実線４９）を十分抑圧する為に、フィルタ２１，２４をＯＮし、点線４８のような特性を追加する。フィルタ２１，２４の特性をＯＮするには、図５で示したアルゴリズムに基づいて行うことができる。点線４８のフィルタ特性を用いれば、妨害信号を十分に抑圧することができ、図４で示したＡＤ変換器１３，１４の飽和を防止することができるし、復調部２７でのＥＶＭ，ＢＥＲ特性も良好にすることができ、通常通話やＨＳＤＰＡ受信時における最小受信感度向上が可能である。
【００４５】
（第３の実施の形態）
図７に、本発明における第３の実施の形態の受信装置のブロック図を示す。図７はデジタル変調された信号を受信する受信装置を示すもので、前記第１の実施の形態（図１）と同一のブロックには同一の番号を付けて説明を省略する。
【００４６】
本実施の形態は、前記第１の実施の形態の構成からＦＩＲフィルタ１５，１６を除いた例である。本実施の形態ではＦＩＲフィルタがないため、フィルタ１１，１２で隣接チャンネル妨害などの妨害信号を全て除去する。その他の動作および効果は、前記第１の実施の形態と同一である。
【００４７】
本実施の形態では、制御信号１０，２０を用いないで、常にフィルタ１１，１２の性能を固定して使用することもできる。この場合、例えば、フィルタ１１，１２はバタワースフィルタ等のＬＰＦを用いる。
【００４８】
（第４の実施の形態）
図８に、本発明における第４の実施の形態の受信装置のブロック図を示す。図８はデジタル変調された信号を受信する受信装置を示すもので、前記第２の実施の形態（図４）と同一のブロックには同一の番号を付けて説明を省略する。
【００４９】
本実施の形態は、前記第２の実施の形態の構成からＦＩＲフィルタ１５，１６を除いた例である。本実施の形態ではＦＩＲフィルタがないため、フィルタ１１，１２およびフィルタ２１，２４で隣接チャンネル妨害などの妨害信号を全て除去する。その他の動作および効果は、前記第２の実施の形態と同一である。
【００５０】
本実施の形態では、制御信号１０，１８，２０を用いないで、常にフィルタ１１，１２の性能を固定し、また、フィルタ２１，２２を常にＯＮして使用することもできる。この場合、例えば、フィルタ１１，１２はバタワースフィルタ等のＬＰＦを用い、フィルタ２１，２４はＬＰＦあるいはフィルタ１１，１２とは極位置が異なるフィルタ（例えばノッチフィルタ等）を用いる。
【００５１】
（第５の実施の形態）
図９に、本発明における第５の実施の形態の受信装置のブロック図を示す。図９では、前記第２の実施の形態（図４）と同一のブロックには同一の番号を付けて説明は省略する。
【００５２】
本実施の形態は、受信系５６と受信系５７の２系統の受信系を備える例である。受信系５６は、前記第２の実施の形態の構成と同一である。受信系５７は、低雑音増幅器６３、ダイレクトコンバージョン方式のミキサ６４，６５、９０度位相シフタ６６、ＶＣＯ６７、ＡＧＣ増幅器６８，６９、フィルタ７１，７２、ＡＤ変換器７３，７４、復調部７７などから構成される。
【００５３】
受信系５６と受信系５７はそれぞれ異なったシステムの信号を受信する受信系であり、例えば受信系５６がＷＣＤＭＡ方式を、受信系５７はＧＳＭ方式を受信する。ＷＣＤＭＡ方式の受信系５６の希望信号の近傍の妨害波が受信系５７のＧＳＭ方式の信号である場合、受信系５７を用いて受信系５６の希望信号の近傍に妨害波があるかないかを判定することができる。
【００５４】
判定は、例えば復調部７７からの制御信号７８に基づいて行われる。この判定に基づき、制御部１７で受信信号の近傍に妨害波がありと判定された場合には、ＷＣＤＭＡ方式の受信系５６では、フィルタ２１，２４をＯＮし、近傍の妨害波を除去する。また、後段のＦＩＲフィルタ１５，１６のタップ係数を可変して帯域特性を補償することもできる。一方、受信信号の近傍に妨害波なしと判定された場合は、フィルタ２１，２４はＯＦＦする。
【００５５】
本実施の形態によれば、Ｎａｒｒｏｗ  ｂａｎｄ  ｂｌｏｃｋｉｎｇ妨害のような近傍の妨害が受信されたか否かを他の受信系を用いて判定することから、正確な判定が可能である。また判定により、近傍の妨害波が受信された場合は、フィルタ２１，２４をＯＮし、妨害を除去することで、ＡＤ変換器１３，１４の入力レベルを適正化できる効果と良好な受信特性を実現できる効果がある。
【００５６】
（第６の実施の形態）
図１０に、本発明における第６の実施の形態の送受信装置のブロック図を示す。図１０はＷＣＤＭＡ端末を用いた送受信装置を示すもので、この送受信装置は、アンテナ１、分波器２、受信系５６、制御部１７、デジタル信号処理部（ベースバンド信号処理部）５８、送信系５９、ＰＡ６１などから構成される。受信系５６には、前記第１〜第４の実施の形態の構成が用いられる。
【００５７】
本実施の形態の送受信装置の動作においては、アンテナ１で受信された受信信号は分波器２で送信信号２２と分波され、受信系５６に入力される。受信系５６の出力はデジタル信号処理部５８に入力される。一方、デジタル処理部５８から出力される送信データは、送信系５９に入力される。送信系５９の出力はＰＡ６１、分波器２、アンテナ１を介して送信される。本実施の形態では、前記第１〜第５の実施の形態で述べたと同様の効果が得られることは明らかである。
【００５８】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００５９】
本発明は、通信あるいは放送システムで用いる高周波信号を受信してベースバンド信号に周波数変換する受信装置に関し、特に、携帯端末などの、デジタル変調された高周波信号を受信する受信装置、およびそれを用いた送受信装置に適用して有効である。
【図面の簡単な説明】
【００６０】
【図１】本発明における第１の実施の形態の受信装置を示すブロック図である。
【図２】本発明における第１の実施の形態の受信装置において、フィルタの特性を設定する場合を示すフローチャートである。
【図３】本発明における第１の実施の形態の受信装置において、フィルタの周波数に対する振幅を示す特性図である。
【図４】本発明における第２の実施の形態の受信装置を示すブロック図である。
【図５】本発明における第２の実施の形態の受信装置において、フィルタの特性を設定する場合を示すフローチャートである。
【図６】本発明における第２の実施の形態の受信装置において、フィルタの周波数に対する振幅を示す特性図である。
【図７】本発明における第３の実施の形態の受信装置を示すブロック図である。
【図８】本発明における第４の実施の形態の受信装置を示すブロック図である。
【図９】本発明における第５の実施の形態の受信装置を示すブロック図である。
【図１０】本発明における第６の実施の形態の送受信装置を示すブロック図である。
【符号の説明】
【００６１】
１…アンテナ、２…分波器、３，６３…低雑音増幅器、４，５，６４，６５…ミキサ、６，６６…９０度位相シフタ、７，６７…ＶＣＯ、８，９，６８，６９…ＡＧＣ増幅器、１１，１２，２１，２４，７１，７２…フィルタ、１３，１４，７３，７４…ＡＤ変換器、１５，１６…ＦＩＲフィルタ、１７…制御部、２３…レベル検出器、２７，７７…復調部、１０，１８，１９，２０，２５，７８…制御信号、２２…送信信号、２８…Ｉ／Ｑ信号、３０…出力信号、５６，５７…受信系、５８…デジタル信号処理部、５９…送信系、６１…ＰＡ。
【図１】
2007228342.tif 000003
【図２】
2007228342.tif 000004
【図３】
2007228342.tif 000005
【図４】
2007228342.tif 000006
【図５】
2007228342.tif 000007
【図６】
2007228342.tif 000008
【図７】
2007228342.tif 000009
【図８】
2007228342.tif 000010
【図９】
2007228342.tif 000011
【図１０】
2007228342.tif 000012